(57)【要約】【課題】カラー印刷物とモノクロ印刷物が混在する印刷物を効率的に作成することのできる印刷システム及び印刷物作成方法を提供する。【解決手段】部品解析装置１６は、ページコンテンツ作成装置１４から供給されたページコンテンツにカラー部品が含まれている場合、そのページコンテンツをページリストに登録して面付け処理装置１８に供給する。面付け処理装置１８は、ページリスト及び刷版に対する面付け数に従ってページコンテンツを分類し、カラー部品を含む面付け処理されたページコンテンツをイメージセッタ２４に送信する一方、カラー部品を含まない面付け処理されたページコンテンツをイメージセッタ２０に送信する。カラー印刷機２６は、イメージセッタ２４により作成した刷版を用いてカラー部品を含む印刷物を作成し、モノクロ印刷機２２は、イメージセッタ２０により作成した刷版を用いてモノクロ部品のみからなる印刷物を作成する。【選択図】図１
2009285936.tif 000002
【特許請求の範囲】
【請求項１】
印刷物のページコンテンツを構成する印刷用コンテンツにカラー部品が含まれるか否かを解析する部品解析装置と、
前記カラー部品が含まれる当該ページコンテンツを印刷するカラー印刷機と、
前記カラー部品が含まれない当該ページコンテンツを印刷するモノクロ印刷機と、
前記ページコンテンツの面付け処理を行い、前記カラー部品が含まれる面付け処理された前記ページコンテンツを前記カラー印刷機に供給する一方、前記カラー部品が含まれない面付け処理された前記ページコンテンツを前記モノクロ印刷機に供給する面付け処理装置と、
を備えることを特徴とする印刷システム。
【請求項２】
請求項１記載のシステムにおいて、
前記印刷用コンテンツを用いて、印刷物の各ページを構成する前記ページコンテンツを作成するページコンテンツ作成装置を備えることを特徴とする印刷システム。
【請求項３】
請求項１記載のシステムにおいて、
前記部品解析装置は、前記カラー部品が含まれる当該ページコンテンツをページリストとして登録するページリスト登録部を備え、
前記面付け処理装置は、前記ページリストに従い、前記カラー印刷機に供給する前記ページコンテンツと、前記モノクロ印刷機に供給する前記ページコンテンツとに分類することを特徴とする印刷システム。
【請求項４】
請求項１記載のシステムにおいて、
前記カラー印刷機は、前記カラー部品が含まれる当該ページコンテンツを印刷する製版印刷機からなり、
前記モノクロ印刷機は、モノクロ部品のみからなる当該ページコンテンツを印刷する製版印刷機からなることを特徴とする印刷システム。
【請求項５】
印刷物のページコンテンツを構成する印刷用コンテンツにカラー部品が含まれるか否かを解析するステップと、
前記カラー部品が含まれる当該ページコンテンツの面付け処理を行い、カラー印刷機に供給するステップと、
前記カラー部品が含まれない当該ページコンテンツの面付け処理を行い、モノクロ印刷機に供給するステップと、
前記カラー印刷機及び前記モノクロ印刷機を用いて印刷物を作成するステップと、
を有することを特徴とする印刷物作成方法。
【発明の詳細な説明】
【技術分野】
【０００１】
本発明は、カラー印刷物とモノクロ印刷物が混在する印刷物を作成する印刷システム及び印刷物作成方法に関する。
【背景技術】
【０００２】
近年、印刷物の作成作業は、コンピュータにより印刷用コンテンツの作成、編集を行うことで、印刷物を構成する各ページのページコンテンツを作成するＤＴＰ（Desk Top Publishing）が主流になっている。ページコンテンツに係るデータは、イメージセッタ等の刷版作成装置に供給されて各色の刷版が作成され、次いで、これらの刷版を印刷機にセットしてカラー印刷物が作成される。
【０００３】
ところで、カラー印刷物は、一般的には、Ｃ、Ｍ、Ｙ、Ｋの各色の刷版を作成し、各刷版を用いて印刷用紙に各色のインクを重ね合わせることで作成される。一方、印刷物には、黒色のインクのみによって作成されるモノクロ印刷物がある。このモノクロ印刷物は、通常、１枚の刷版のみから作成される。従来、カラー印刷物及びモノクロ印刷物が混在する印刷物を作成する場合、Ｃ、Ｍ、Ｙ、Ｋの各色のインクを用いたカラー印刷機が使用されている（特許文献１参照）。
【０００４】
しかしながら、印刷物の多くの部分がモノクロ印刷物から構成されている場合、カラー印刷機のみを用いて印刷物を作成しようとすると、モノクロ印刷物の作成の際に、カラー印刷物を作成するための工程が加わってしまうため、印刷物を効率的に作成することができなくなってしまう。
【０００５】
【特許文献１】特開平５−２６８４３１号公報
【発明の開示】
【発明が解決しようとする課題】
【０００６】
本発明は、前記の不具合を解消するためになされたものであり、カラー印刷物とモノクロ印刷物が混在する印刷物を効率的に作成することのできる印刷システム及び印刷物作成方法を提供することを目的とする。
【課題を解決するための手段】
【０００７】
前記の目的を達成するために、本発明は、印刷物のページコンテンツを構成する印刷用コンテンツにカラー部品が含まれるか否かを解析する部品解析装置と、
前記カラー部品が含まれる当該ページコンテンツを印刷するカラー印刷機と、
前記カラー部品が含まれない当該ページコンテンツを印刷するモノクロ印刷機と、
前記ページコンテンツの面付け処理を行い、前記カラー部品が含まれる面付け処理された前記ページコンテンツを前記カラー印刷機に供給する一方、前記カラー部品が含まれない面付け処理された前記ページコンテンツを前記モノクロ印刷機に供給する面付け処理装置と、
を備えることを特徴とする。
【０００８】
また、本発明は、印刷物のページコンテンツを構成する印刷用コンテンツにカラー部品が含まれるか否かを解析するステップと、
前記カラー部品が含まれる当該ページコンテンツの面付け処理を行い、カラー印刷機に供給するステップと、
前記カラー部品が含まれない当該ページコンテンツの面付け処理を行い、モノクロ印刷機に供給するステップと、
前記カラー印刷機及び前記モノクロ印刷機を用いて印刷物を作成するステップと、
を有することを特徴とする。
【発明の効果】
【０００９】
本発明の印刷システム及び印刷物作成方法では、カラー印刷物とモノクロ印刷物とが混在する印刷物を作成する際、印刷物の各ページを構成するページコンテンツを解析し、カラー部品が含まれているページコンテンツをカラー印刷機を用いて印刷する一方、モノクロ部品のみからなるページコンテンツをモノクロ印刷機を用いて印刷することにより、印刷物を効率的に作成することができる。
【発明を実施するための最良の形態】
【００１０】
図１は、本発明の印刷システム及び印刷物作成方法が適用される実施形態である印刷システム１０の構成ブロック図である。
【００１１】
印刷システム１０は、作家やアーティストにより、文章、画像又は線画からなる印刷用コンテンツを作成する印刷用コンテンツ作成装置１２と、編集者やデザイナーにより、印刷物上における各印刷用コンテンツの１ページ分のレイアウトを設定したページコンテンツを作成するページコンテンツ作成装置１４と、各ページコンテンツを構成する印刷用コンテンツである部品が、カラー部品であるのか、モノクロ部品であるのかを解析する部品解析装置１６と、解析結果に基づいてページコンテンツの面付け処理を行う面付け処理装置１８と、面付け処理されたモノクロ部品のみからなるページコンテンツを刷版上に記録するイメージセッタ２０と、イメージセッタ２０により作成された刷版を用いてモノクロのページコンテンツを印刷するモノクロ印刷機２２と、面付け処理されたカラー部品を含むページコンテンツを刷版上に記録するイメージセッタ２４と、イメージセッタ２４により作成された刷版を用いてカラーのページコンテンツ及びモノクロのページコンテンツを印刷するカラー印刷機２６とを備える。
【００１２】
図２は、部品解析装置１６の構成ブロック図である。部品解析装置１６は、ページコンテンツを構成する各印刷用コンテンツに付加された部品情報に基づき、当該印刷用コンテンツがカラー部品であるのか、モノクロ部品であるのかを判定する部品情報判定部２８と、部品情報判定部２８による判定結果に基づき、カラー部品が含まれているページコンテンツのページ番号をページリストに登録するページリスト登録部３０とを備える。
【００１３】
本実施形態の印刷システム１０は、基本的には以上のように構成されるものであり、次に、図３及び図４に示すフローチャートに従い、印刷物の作成処理について説明する。
【００１４】
先ず、作家やアーティストは、印刷用コンテンツ作成装置１２を用いて、文章、画像又は線画からなる印刷用コンテンツを作成する（ステップＳ１）。作成された各印刷用コンテンツは、例えば、ＰＤＦのファイル形式からなるオブジェクトデータとしてページコンテンツ作成装置１４に供給される。
【００１５】
次に、編集者やデザイナーは、ページコンテンツ作成装置１４を用いて、印刷物の各ページを構成する印刷用コンテンツのページレイアウトを設定することにより、ページコンテンツを作成する（ステップＳ２）。
【００１６】
次いで、ページコンテンツを構成する印刷用コンテンツにカラー部品が含まれている場合、すなわち、印刷用コンテンツの色がカラーである場合、当該ページコンテンツにカラー部品が含まれていることを示す部品情報を付加し、また、ページコンテンツを構成する印刷用コンテンツの全てがモノクロ部品である場合、すなわち、印刷用コンテンツの色がモノクロである場合、当該ページコンテンツがモノクロ部品のみからなることを示す部品情報を付加する（ステップＳ３）。
【００１７】
部品情報が付加されたページコンテンツは、部品解析装置１６に供給される。部品解析装置１６の部品情報判定部２８は、各ページコンテンツの部品情報に基づき、当該ページコンテンツにカラー部品が含まれているか否かを判定する（ステップＳ４）。ページリスト登録部３０は、部品情報判定部２８の判定結果に基づき、カラー部品が含まれているページコンテンツのページ番号をページリストに登録する（ステップＳ５）。
【００１８】
次に、ページコンテンツは、登録されたページリストとともに面付け処理装置１８に供給され、面付け処理が行われる（ステップＳ６）。そこで、図４に示すフローチャートに従い、ページコンテンツの面付け処理を説明する。
【００１９】
面付け処理装置１８では、使用する出力装置であるイメージセッタ２０、２４による製本様式と、１枚の刷版に出力するページコンテンツの最大面付け数を登録する（ステップＳ１１）。例えば、製本様式としては、図５に示す「中綴じ」が設定登録される。また、イメージセッタ２０、２４による最大面付け数ｍとしては、図６〜図９に示すように、１枚の印刷用紙３２の片面に最大２枚のページコンテンツを印刷する面付け数（最大面付け数ｍ＝２）が設定登録される。
【００２０】
次に、面付け処理装置１８は、部品解析装置１６のページリスト登録部３０で登録されたページリスト、印刷物の各セットの先頭ページ番号ｉ、各セットのページ数ｎをコンテンツ情報として取得する（ステップＳ１２）。なお、図１０は、１セットの印刷物の各ページコンテンツを例示したものであり、この例では、先頭ページ番号ｉが１、ページ数ｎが１２８である。
【００２１】
先頭ページ番号ｉ＝１（ステップＳ１３）、演算パラメータｊ＝０（ステップＳ１４）として、ステップＳ１１で設定されたイメージセッタ２０、２４による最大面付け数ｍ（図６〜図９の場合、ｍ＝２）、ステップＳ１２で取得したページリストであるカラー部品Ｃを含むページコンテンツのページ番号に従い、ページコンテンツの（ｉ＋ｊ・ｍ）〜（ｉ＋（ｊ＋１）・ｍ−１）ページ、又は、（ｉ＋ｎ−１−ｊ・ｍ）〜（ｉ＋ｎ−（ｊ＋１）・ｍ）ページの何れかにカラー部品Ｃが含まれるか否かを判定する（ステップＳ１５）。何れかのページにカラー部品Ｃが含まれる場合、これらの全てのページコンテンツをカラー印刷機２６で出力するものとして分類し、そのページ番号をカラー印刷リストに登録する（ステップＳ１６）。一方、これらのページがモノクロ部品Ｍのみからなる場合、これらの全てのページコンテンツをモノクロ印刷機２２で出力するものとして分類し、そのページ番号をモノクロ印刷リストに登録する（ステップＳ１７）。
【００２２】
同様にして、演算パラメータｊがｎ／（２・ｍ）となるまでカラー部品Ｃが含まれているか否かの判定を繰り返す（ステップＳ１８、Ｓ１９）。
【００２３】
以上のようにして、１セットの印刷物内の全てのページ番号がカラー印刷リスト又はモノクロ印刷リストに登録された後、ページコンテンツを各イメージセッタ２０、２４で出力するための面付け処理を行う（ステップＳ２０）。
【００２４】
具体的には、印刷物を構成する各ページコンテンツが図１０に示す構成からなるものとすると、製本様式が中綴じであり、イメージセッタ２０、２４による最大面付け数ｍが２に設定されているため、カラー印刷リストには、図６及び図７に示すページ番号１、２、１２７、１２８が登録されている。従って、イメージセッタ２４により作成される刷版には、カラー部品Ｃのみからなるページ番号１及び１２８のページコンテンツと、モノクロ部品Ｍのみからなるページ番号２及び１２７のページコンテンツとが面付けされる。また、モノクロ印刷リストには、図８及び図９に示すページ番号５、６、１２３、１２４が登録されている。従って、イメージセッタ２０により作成される刷版には、モノクロ部品Ｍのみからなるページ番号５及び１２４のページコンテンツと、モノクロ部品Ｍのみからなるページ番号６及び１２３のページコンテンツとが面付けされる。同様にして、ページ番号７〜１２２のページコンテンツがイメージセッタ２０により作成される刷版に面付けされる。
【００２５】
カラー印刷機２６用に面付け処理されたページコンテンツは、イメージセッタ２４に送信される（ステップＳ２１）。また、モノクロ印刷機２２用に面付け処理されたページコンテンツは、イメージセッタ２０に送信される。同様にして、印刷物の各セットに対する面付け処理が行われる（ステップＳ２２）。
【００２６】
イメージセッタ２４に送信されたページコンテンツは、ページ番号１及び１２８のページコンテンツが刷版に形成された後、この刷版がカラー印刷機２６に供給され、図６に示すように、印刷用紙３２の表面にページ番号１及び１２８のカラー印刷物が作成される。また、イメージセッタ２４は、ページ番号２及び１２７のページコンテンツを刷版に形成し、この刷版がカラー印刷機２６に供給され、図７に示すように、印刷用紙３２の裏面にページ番号２及び１２７のページコンテンツが作成される。
【００２７】
一方、イメージセッタ２０に送信されたページコンテンツは、ページ番号５及び１２４のページコンテンツが刷版に形成された後、この刷版がモノクロ印刷機２２に供給され、図８に示すように、印刷用紙３２の表面にページ番号５及び１２４のモノクロ印刷物が作成される。また、イメージセッタ２０は、ページ番号６及び１２３のページコンテンツを刷版に形成し、この刷版がモノクロ印刷機２２に供給され、図９に示すように、印刷用紙３２の裏面にページ番号６及び１２３のページコンテンツが作成される。
【００２８】
同様にして、ページ番号７〜１２２のページコンテンツがモノクロ印刷機２２によって作成されることで、カラー印刷物及びモノクロ印刷物が混在する印刷物が作成される。この場合、印刷物を構成する全てのページコンテンツをカラー印刷機２６を用いて印刷する場合に比較して、効率的に印刷物を作成することができる。
【００２９】
なお、本発明は、上述した実施形態に限定されるものではなく、本発明の主旨を逸脱しない範囲で自由に変更できることは勿論である。
【図面の簡単な説明】
【００３０】
【図１】本実施形態の印刷システムの構成ブロック図である。
【図２】印刷システムを構成する部品解析装置の構成ブロック図である。
【図３】本実施形態の印刷システムによる印刷物の作成処理のフローチャートである。
【図４】本実施形態の印刷システムによる面付け処理のフローチャートである。
【図５】製本様式が中綴じであるときの印刷物のページ配置の説明図である。
【図６】カラー印刷機により印刷される印刷物表面の説明図である。
【図７】カラー印刷機により印刷される印刷物裏面の説明図である。
【図８】モノクロ印刷機により印刷される印刷物面面の説明図である。
【図９】モノクロ印刷機により印刷される印刷物裏面の説明図である。
【図１０】カラー印刷物及びモノクロ印刷物が混在する印刷物の説明図である。
【符号の説明】
【００３１】
１０…印刷システム
１２…印刷用コンテンツ作成装置
１４…ページコンテンツ作成装置
１６…部品解析装置
１８…面付け処理装置
２０、２４…イメージセッタ
２２…モノクロ印刷機
２６…カラー印刷機
２８…部品情報判定部
３０…ページリスト登録部
３２…印刷用紙
【図１】
2009285936.tif 000003
【図２】
2009285936.tif 000004
【図３】
2009285936.tif 000005
【図４】
2009285936.tif 000006
【図５】
2009285936.tif 000007
【図６】
2009285936.tif 000008
【図７】
2009285936.tif 000009
【図８】
2009285936.tif 000010
【図９】
2009285936.tif 000011
【図１０】
2009285936.tif 000012